(57)【要約】圧縮機アッセンブリは、正常動作パラメータで動作させるとき、既知の振動数を有する圧縮機と、圧縮機に関連する電気部品を収容するために圧縮機に取り付けられた枠部材を有し、上記既知の振動数とは異なる固有振動数を有する電気ボックスアッセンブリとを含む。これによって、電気ボックスアッセンブリへの振動の増幅が回避され、アッセンブリはそれによる損傷から保護される。
2007529683.tif 000002
【特許請求の範囲】
【請求項１】
正常動作パラメータで動作させるとき、既知の振動数を有する圧縮機と、
前記圧縮機に関連する電気部品を収容するために前記圧縮機に取り付けられた枠部材を有し、前記既知の振動数とは異なる固有振動数を有する電気ボックスアッセンブリと、
を備えることを特徴とする圧縮機アッセンブリ。
【請求項２】
前記電気ボックスアッセンブリの固有振動数が、前記既知の振動数より少なくとも１０％高いことを特徴とする請求項１記載のアッセンブリ。
【請求項３】
前記電気ボックスアッセンブリの固有振動数が、前記既知の振動数より約１０％から約８０％高いことを特徴とする請求項２記載のアッセンブリ。
【請求項４】
前記枠部材が側縁部を有する実質的に平坦なプレートを備え、さらに前記平坦なプレートに対して実質的に垂直に配置された２つの側面フランジを備え、前記平坦なプレートおよび前記側面フランジがそれぞれ、前記圧縮機に隣接して取り付けられる後縁部を有することを特徴とする請求項１記載のアッセンブリ。
【請求項５】
前記平坦なプレートおよび側面フランジの少なくとも１つによって角部が画定され、前記枠部材の剛性を向上させるために前記角部に沿ったくぼみをさらに備えることを特徴とする請求項４記載のアッセンブリ。
【請求項６】
前記側面フランジが、実質的に平行な第１の部分と、互いに向かって角度をなす第２の部分とを有することを特徴とする請求項４記載のアッセンブリ。
【請求項７】
前記第１の部分と前記第２の部分の間に角部が画定され、前記枠部材の剛性を向上させるために、前記角部に沿ったくぼみをさらに備えることを特徴とする請求項６記載のアッセンブリ。
【請求項８】
前記電気ボックスアッセンブリが電気部品をさらに備え、前記枠部材および前記電気部品が一緒に前記電気ボックスアッセンブリの固有振動数を画定することを特徴とする請求項１記載のアッセンブリ。
【請求項９】
正常動作パラメータにおける圧縮機の既知の振動数を決定し、
前記圧縮機に関連する電気部品を支持するための枠部材を有する電気ボックスアッセンブリであって、前記圧縮機の既知の振動数とは異なる固有振動数を有する電気ボックスアッセンブリを提供する、
各ステップを含むことを特徴とする、圧縮機アッセンブリ用の電気ボックスアッセンブリの設計方法。
【請求項１０】
前記電気ボックスアッセンブリの固有振動数が、前記既知の振動数より少なくとも１０％高いことを特徴とする請求項９記載の方法。
【請求項１１】
前記電気ボックスアッセンブリの固有振動数が、前記既知の振動数より約１０％から約８０％高いことを特徴とする請求項９記載の方法。
【請求項１２】
前記枠部材が側縁部を有する実質的に平坦なプレートを備え、さらに前記平坦なプレートに対して実質的に垂直に配置された２つの側面フランジを備え、前記平坦なプレートおよび前記側面フランジがそれぞれ、前記圧縮機に隣接して取り付けられる後縁部を有することを特徴とする請求項９記載の方法。
【請求項１３】
前記の提供ステップが、
電気ボックスアッセンブリの構成、
開始時の電気ボックスアッセンブリの構成について予想される固有振動数を評価すること、および
前記圧縮機の既知の振動数とは異なる固有振動数を与えるように、前記開始時の電気ボックスアッセンブリを変更すること、
を含むことを特徴とする請求項９記載の方法。
【発明の詳細な説明】
【技術分野】
【０００１】
本発明は圧縮機に関し、より具体的には圧縮機アッセンブリ用の電気ボックスの設計に関する。
【背景技術】
【０００２】
圧縮機アッセンブリの電気ボックスは、電子保護板、圧縮機の接触器、変圧器など、一般にアッセンブリの様々な電子部品を保持するために圧縮機に取り付けられる支持構造体である。動作中、圧縮機は振動を発生させる。この振動は、電気ボックス自体およびその中の部品に損傷を与える可能性がある。
【０００３】
前述のことに基づき、電気ボックスおよびそれに収容された部品が圧縮機の振動による損傷を受けにくくなる、改良された圧縮機アッセンブリが依然として求められていることは明らかである。
【発明の開示】
【発明が解決しようとする課題】
【０００４】
したがって、本発明の主な目的は、電気ボックスおよびそれに取り付けられた部品が圧縮機の振動から損傷を受ける危険を低減させた圧縮機アッセンブリを提供することである。
【０００５】
本発明の他の目的および利点を以下に記述する。
【課題を解決するための手段】
【０００６】
本発明に従って、前述の目的および利点は容易に達成されている。本発明によれば、正常動作パラメータで動作させるとき、既知の振動数を有する圧縮機と、圧縮機に関連する電気部品を収容するために圧縮機に取り付けられた枠部材を有し、上記既知の振動数とは異なる固有振動数を有する電気ボックスアッセンブリとを備える圧縮機アッセンブリが提供される。
【０００７】
さらに本発明によれば、正常動作パラメータにおける圧縮機の既知の振動数を決定し、圧縮機に関連する電気部品を支持するための枠部材を有する電気ボックスアッセンブリであって、圧縮機の既知の振動数とは異なる固有振動数を有する電気ボックスアッセンブリを提供する、各ステップを含む、圧縮機アッセンブリ用の電気ボックスアッセンブリの設計方法が提供される。
【０００８】
圧縮機の固有振動数と十分に異なる固有振動数を有する電気ボックスを提供することによって、電気ボックスの過大な振動振幅を回避し、電気ボックスおよびそれに取り付けられた部品への応力を軽減することが可能になり、その結果、こうした電気部品の寿命が延びることになる。
【発明を実施するための最良の形態】
【０００９】
本発明の好ましい実施形態についての詳細な説明を、その添付図面を参照して以下に示す。
【００１０】
本発明は圧縮機アッセンブリに関し、より具体的には、圧縮機に取り付けられ、圧縮機に関連する様々な電気部品を収容する圧縮機アッセンブリ用の電気ボックスアッセンブリに関する。
【００１１】
本発明によれば、電気ボックスアッセンブリは、正常動作パラメータにおける圧縮機の既知の振動数とは異なる固有振動数を有するように設計され、それによって、圧縮機からの振動は電気ボックスの固有振動数と異なる振動数になる。有利には、これによって、電気ボックスアッセンブリの固有振動数が圧縮機のものと一致した場合に起こる可能性がある振動振幅の増大の可能性が回避される。
【００１２】
図１および図２は、本発明による圧縮機アッセンブリ用の枠部材１０を含む電気ボックスアッセンブリを示している。枠部材１０は、２つの側縁部１４、１６、後縁部１８および前縁部２０を有する実質的に平坦なプレート部分１２を含んでいる。図１および図２に示した設計では、２つの側面フランジまたは部材２２、２４が配置され、側縁部１４、１６から実質的に下方に延びている。
【００１３】
その使用環境（図４も参照のこと）では、電気ボックスの枠部材１０は、後縁部１８において、およびそれぞれ側面部材２２、２４の後縁部２６、２８において圧縮機１に取り付けられる。
【００１４】
これを、当分野の通常の技術者にはよく知られた任意の適切な機械的固定構造体を用いて実施することができる。
【００１５】
プレート１２は通常、それに様々な電気部品を取り付ける際に使用するように適合させた、一連の孔および他の構造体を有するように提供される。これらの孔の位置決めおよび大きさは部品によって決まり、当分野の通常の技術者にはよく知られている。例えば、枠部材１０は、それに取り付けられた部品１１、１３を有してもよく、また電気ケーブルなどのための孔または開口部１５、１７、１９、２１を有してもよい。
【００１６】
側面部材２２、２４は、それらがそこから延びる側縁部１４、１６に対して実質的に平行な第１の部分３０を有するように提供することができる。側面部材２２、２４は、内側または反対の側面部材２２、２４に向かって延びる第２の部分３２と、次いで第２の部分３２の内縁部から延び、所望される通りに圧縮機に固定するための接触面を画定する第３の部分３４とを有するように提供することもできる。有利には、この構造によって枠部材１０の剛性を向上させることが可能になり、それによって所望の固有振動数を与えることが可能になる。
【００１７】
さらに必要であれば、構造体の角部に沿ってくぼみを設けることにより、枠部材１０を構造的にさらに堅くすることができる。図１および図２は、側面フランジ２２、２４の各部分３０、３２、３４の間に画定される角部に沿って配置された、そうしたくぼみ３８を示している。これらのくぼみは角部での曲げに抵抗するように働き、それによって枠部材１０の機械的剛性が高められる。もちろん、くぼみを枠部材１０の他の位置に同様に設けることも可能であることを理解すべきである。
【００１８】
本発明によれば、部品の配置および電気ボックスアッセンブリの寸法を含めた形状によって、ならびに材料の剛性および選択された特定の構造による枠部材１０の剛性によって、電気ボックスアッセンブリの振動の固有振動数がもたらされる。この固有振動数で振動を受けると、圧縮機の動的励振によってボックスアッセンブリにさらに高いレベルの振動振幅が生じ、それがボックスアッセンブリに取り付けられた部品に対する過度の摩耗と共に、先に言及した問題を引き起こす可能性があり、これらの問題を回避することが本発明の目的である。
【００１９】
有利には、これは本発明に従って、電気ボックスの枠部材１０を、ボックスアッセンブリが正常動作パラメータにおける圧縮機の既知の振動数より好ましくは少なくとも約１０％大きい固有振動数を有するように設計することによって達成される。例えば、正常動作パラメータにおける圧縮機の動作によって５０Ｈｚの振動数を有する振動が生じる場合、電気ボックスアッセンブリ１０を少なくとも約５５Ｈｚ、好ましくは約５５Ｈｚから約９０Ｈｚの間の固有振動数を有するように設計することが好ましい。こうした範囲を異なる動作振動数を有する他のタイプの圧縮機に適合させるためには、予想される圧縮機の振動数より少なくとも１０％大きい固有振動数を与えることが好ましく、また電気ボックスアッセンブリを、予想される圧縮機の振動数より約１０％から約８０％大きい振動数の範囲に収まる固有振動数を有するように設計することがさらに好ましい。有利には、これが、やはり電気ボックスアッセンブリに望ましくない振幅振動の増大をもたらす可能性がある、電気ボックスアッセンブリの固有振動数が圧縮機によって生成される振動数の倍数になることを回避する働きをする。
【００２０】
前述のように、本発明の電気ボックスアッセンブリの所望の固有振動数を与える際に使用する重要なパラメータには、枠部材の寸法、枠部材を作製する材料、および枠部材の様々な部品相互の配置が含まれる。枠部材に取り付けられる電気部品も固有振動数に影響を及ぼす可能性があり、考慮されるべきである。
【００２１】
本発明によれば、有限要素シミュレーションモデルを用いて所望の構造体の固有振動数を推定することが好ましく、次いで、その結果得られる推定の固有振動数を、振動加振機によって試験を行い、生じたアッセンブリの振動振幅を測定することによって検証することができる。この手順に従ってシミュレーションモデルを利用することにより、電気ボックスアッセンブリを前述の所望の固有振動数を有するように設計することが可能になる。もちろん、所望の固有振動数を有する電気ボックスアッセンブリを提供するために他の方法を用いることもできる。
【００２２】
シミュレーション法で調整することができる電気ボックスアッセンブリのパラメータには、枠部材を製造する材料の剛性、材料の厚さ、補剛構造および前述の様々な寸法が含まれる。
【００２３】
枠部材１０は通常、図４に点線で示したカバー５０を備えているが、カバー５０は電気ボックスアッセンブリの固有振動数に大した影響を及ぼさないことが分かっている。
【００２４】
枠部材１０は、様々なシート状金属、プラスチック、セラミックなどを含めた任意の適切な材料で提供することができる。
【００２５】
本発明による電気ボックスを提供することが、有利には圧縮機の振動による電気ボックス、およびそれに取り付けられた部品への損傷を軽減する働きをすることに留意すべきである。
【００２６】
本発明は本明細書に記述および図示された実例に限定されず、それらの実例は、本発明を実施する最良の態様を例証するものにすぎないと考えられ、また形、大きさ、部品の配置および動作の細部の変更が可能であることを理解されたい。本発明はむしろ、特許請求の範囲によって定義されるその趣旨および範囲内のそうした変更をすべて包含するものである。
【図面の簡単な説明】
【００２７】
【図１】本発明による電気ボックスアッセンブリの枠部材の斜視図。
【図２】本発明による枠部材の他の斜視図。
【図３】本発明による電気部品を備えた枠部材の他の図。
【図４】圧縮機に取り付けられた電気ボックスアッセンブリを示す図。
【図１】
2007529683.tif 000003
【図２】
2007529683.tif 000004
【図３】
2007529683.tif 000005
【図４】
2007529683.tif 000006
【国際調査報告】
2007529683.tif 000007
2007529683.tif 000008